(57)【要約】【課題】押しボタンの移動を周方向に離隔した複数のガイド部でガイドするようにして、重量軽減を図りながら押しボタンの押圧操作時にがたつきが生じることを防止した上で、押しボタンの棒状部の外面に付着した水分が凍結しても押しボタンの操作に支障を来すことがないようにする。【解決手段】ケース２０に、押しボタン２１の棒状部２１ａの周方向複数箇所をガイドするようにして棒状部２１ａの周方向に離隔した複数のガイド部３８，３９が設けられ、棒状部２１ａの外側面に、複数のガイド部３８，３９間で棒状部２１ａの外側面に付着した水分の凍結によって生じた氷結部を、押しボタン２１の押圧操作に伴う棒状部２１ａの移動に応じて剥がし得る凍結剥がしリブ５１，５２が突設される。【選択図】        図５
2014049246.tif 000002
【特許請求の範囲】
【請求項１】
直線状に延びる棒状部（２１ａ）の外端に該棒状部（２１ａ）から外側方に張り出す押圧操作部（２１ｂ）が車外からの押圧操作を可能として設けられて成る押しボタン（２１）と、車体（Ｂ）もしくは該車体（Ｂ）に開閉可能に取付けられるリッド（１１）に固定されるとともに前記押しボタン（２１）の直線的な移動をガイドするガイド部（３８，３９，４０）を有するケース（２０）と、前記押しボタン（２１）の押圧操作に応じてスイッチング態様を変化させるようにして前記ケース（２０）内に収容されるスイッチ（２２）とを備える車両用押しボタンスイッチにおいて、前記ケース（２０）に、前記押しボタン（２１）の前記棒状部（２１ａ）の周方向複数箇所をガイドするようにして前記棒状部（２１ａ）の周方向に離隔した複数のガイド部（３８，３９，４０）が設けられ、前記棒状部（２１ａ）の外側面に、複数の前記ガイド部（３８，３９，４０）間で前記棒状部（２１ａ）の外側面に付着した水分の凍結によって生じた氷結部（５３）を、前記押しボタン（２１）の押圧操作に伴う前記棒状部（２１ａ）の移動に応じて剥がし得る凍結剥がしリブ（５１，５２）が突設されることを特徴とする車両用押しボタンスイッチ。
【請求項２】
前記押圧操作による前記押しボタン（２１）の移動方向に沿う前記凍結剥がしリブ（５２）の少なくとも前端部に、前記移動方向に沿う前方に向かうにつれて前記棒状部（２１ａ）からの突出量が小さくなるように傾斜した傾斜面（５２ａ）が形成されることを特徴とする請求項１記載の車両用押しボタンスイッチ。
【発明の詳細な説明】
【技術分野】
【０００１】
本発明は、直線状に延びる棒状部の外端に該棒状部から外側方に張り出す押圧操作部が車外からの押圧操作を可能として設けられて成る押しボタンと、車体もしくは該車体に開閉可能に取付けられるリッドに固定されるとともに前記押しボタンの直線的な移動をガイドするガイド部を有するケースと、前記押しボタンの押圧操作に応じてスイッチング態様を変化させるようにして前記ケース内に収容されるスイッチとを備える車両用押しボタンスイッチに関する。
【背景技術】
【０００２】
車両のトランクリッドのラッチ解除のための押しボタンスイッチのケースが、トランクリッドに設けられたリヤスポイラーで構成されるようにしたものが、特許文献１で既に知られており、このものでは、リヤスポイラーの肉厚部分に押しボタンスイッチが配設される場合には、押しボタンの押圧操作部を車外に臨ませるためには、押しボタンの移動方向に沿う長さを比較的大きく設定する必要があるが、そうすると押しボタンの支持が不安定となり、押しボタンの押圧操作時のがたつきが大きくなり、操作性の低下を招く。
【０００３】
このような課題を解決すべく、長く不安定な押しボタンのがたつきをガイド部によって防止し得るようにしたものが、特許文献２で知られている。
【先行技術文献】
【特許文献】
【０００４】
【特許文献１】特開２０１０−８０２３４号公報
【特許文献２】特開２００３−１９７０６１号公報
【発明の概要】
【発明が解決しようとする課題】
【０００５】
ところが、押しボタンスイッチが、直線状に延びる棒状部の外端に該棒状部から外側方に張り出す押圧操作部が設けられて成るものである場合に、上記特許文献２で開示される構成をそのまま適用すると、前記ガイド部は、押しボタンスイッチの棒状部を囲繞する筒状に形成されることが必要となる。しかるに押しボタンの移動をガイドするには、ガイド部が筒状であることは必要ではなく、重量軽減の観点からは前記棒状部の周方向複数箇所を、前記棒状部の周方向に離隔した複数のガイド部でガイドするように構成すればよい。ところが、押しボタンの棒状部を周方向に離隔した複数のガイド部でガイドするように構成すると、押しボタンが雨水等に曝される環境や、湿気の多い環境にあっては、押しボタンにおける棒状部の外面に付着した水分が周囲の気温の低下によって凍結してしまい、押しボタンの操作に支障を来す虞がある。
【０００６】
本発明は、かかる事情に鑑みてなされたものであり、押しボタンの移動を周方向に離隔した複数のガイド部でガイドするようにして、重量軽減を図りながら押しボタンの押圧操作時にがたつきが生じることを防止した上で、押しボタンの棒状部の外面に付着した水分が凍結しても押しボタンの操作に支障を来すことがないようにした車両用押しボタンスイッチを提供することを目的とする。
【課題を解決するための手段】
【０００７】
上記目的を達成するために、本発明は、直線状に延びる棒状部の外端に該棒状部から外側方に張り出す押圧操作部が車外からの押圧操作を可能として設けられて成る押しボタンと、車体もしくは該車体に開閉可能に取付けられるリッドに固定されるとともに前記押しボタンの直線的な移動をガイドするガイド部を有するケースと、前記押しボタンの押圧操作に応じてスイッチング態様を変化させるようにして前記ケース内に収容されるスイッチとを備える車両用押しボタンスイッチにおいて、前記ケースに、前記押しボタンの前記棒状部の周方向複数箇所をガイドするようにして前記棒状部の周方向に離隔した複数のガイド部が設けられ、前記棒状部の外側面に、複数の前記ガイド部間で前記棒状部の外側面に付着した水分の凍結によって生じた氷結部を、前記押しボタンの押圧操作に伴う前記棒状部の移動に応じて剥がし得る凍結剥がしリブが突設されることを第１の特徴とする。
【０００８】
また本発明は、第１の特徴の構成に加えて、前記押圧操作による前記押しボタンの移動方向に沿う前記凍結剥がしリブの少なくとも前端部に、前記移動方向に沿う前方に向かうにつれて前記棒状部からの突出量が小さくなるように傾斜した傾斜面が形成されることを第２の特徴とする。
【発明の効果】
【０００９】
本発明の第１の特徴によれば、押しボタンの外側面に凍結剥がしリブが突設されており、周方向に離隔したガイド部間で押しボタンの棒状部の外面に生じた氷結部を、押しボタンの押圧操作時に凍結剥がしリブで剥がすことができるので、棒状部の外面に氷結部が生じたとしても押しボタンの押圧操作に支障を来すことがない。
【００１０】
また本発明の第２の特徴によれば、凍結剥がしリブの少なくとも前端部に形成される傾斜面によって、氷結部をより効果的に剥がすことが可能となる。
【図面の簡単な説明】
【００１１】
【図１】乗用車両を後方から見た斜視図である。
【図２】図１の２矢視図である。
【図３】図２の３−３線断面図である。
【図４】図２の４−４線断面図である。
【図５】押しボタンスイッチを図３の５矢視方向から見た図である。
【図６】押しボタンスイッチの分解斜視図である。
【図７】図５の７−７線断面図である。
【図８】図４の８−８線断面図である。
【図９】凍結剥がしリブによって氷結部を剥がす状態を説明するための図４の一部に対応した断面図である。
【発明を実施するための形態】
【００１２】
以下、本発明の実施の形態について添付の図１〜図９を参照しながら説明すると、先ず図１および図２において、乗用車両Ｖの車体Ｂの後部にはトランクリッド１１が開閉可能に取付けられており、該トランクリッド１１の後部上面にはリヤスポイラー１２が取付けられ、このリヤスポイラー１２に、トランクリッド１１のラッチ状態を解除するアンラッチ信号を発進するための押しボタンスイッチ１３が配設される。すなわち閉じたトランクリッド１１がラッチ状態にあるときに押しボタンスイッチ１３を押すと、車両運転者が携帯する携帯器と車両側との間での双方向通信が行われ、コード照合によって正規の携帯器であることが確認されたときにトランクリッド１１のラッチ状態が解除される。
【００１３】
図３を併せて参照して、前記リヤスポイラー１２は、剛性の高い合成樹脂から成るインナースポイラー１４と、塗装が施された合成樹脂性のアウタースポイラー１５とが、インナースポイラー１４をアウタースポイラー１５で覆うようにして結合されて成るものであり、その横断面形状は、トランクリッド１１の閉じ状態で略水平となる水平部１２ａと、該水平部１２ａの後端から下方に垂下する鉛直部１２ｂとから成る。
【００１４】
前記リヤスポイラー１２における前記鉛直部１２ｂの車幅方向中央部にはブレーキランプ１６が配設される。このブレーキランプ１６の一部を構成するレンズ１７は、透光性を有する合成樹脂によって形成され、前記リヤスポイラー１２のインナースポイラー１４に固定される取付け部材１８で支持される。
【００１５】
前記押しボタンスイッチ１３は、前記ブレーキランプ１６の車幅方向右側寄りの部分に配設されるものであり、前記ブレーキランプ１６の前記レンズ１７には、後端を前記取付け部材１８に当接させるようにして前後に延びる横断面矩形状の筒部１７ａが一体に形成され、前記取付け部材１８には、前記筒部１７ａの後端に対応した矩形の透孔１９が設けられる。
【００１６】
前記押しボタンスイッチ１３は、前記トランクリッド１１に固定されるケース２０と、車外からの押圧操作が可能な押しボタン２１と、該押しボタン２１の押圧操作に応じてスイッチング態様を変化させるようにして前記ケース２０に支持されるタクトスイッチ２２とを備えるものであり、前記押しボタン２１が、前記レンズの前記筒部１７ａ内に、その筒部１７ａの長手方向に沿う直線的な移動を可能として収容される。
【００１７】
図４〜図６を併せて参照して、前記ケース２０は、前記トランクリッド１１に固定される合成樹脂製の第１ケース部材２３と、第１ケース部材２３に固定される合成樹脂製の第２ケース部材２４と、第１および第２ケース部材２３，２４間に周縁部全周が挟持される弾性部材２５とで構成される。
【００１８】
第１ケース部材２３は、たとえば一対のねじ部材２６，２６で前記取付け部材１８に固定されるものであり、前記レンズ１７の前記筒部１７ａに対応して第１ケース部材２３にはスイッチ収容孔２７が設けられ、そのスイッチ収容孔２７を囲んで無端状に連なる凹部２８が、第１ケース部材２３の後面に設けられる。
【００１９】
前記タクトスイッチ２２は前記スイッチ収容孔２７に収容されるものであり、前記スイッチ収容孔２７の前端を閉じるようにして第１ケース部材２３の前面に取付けられる基板２９に前記タクトスイッチ２２が支持される。
【００２０】
前記弾性部材２５は、たとえばゴムから成るものであり、前記タクトスイッチ２２を後方から覆う皿状の弾性部材主部２５ａと、前記凹部２８に嵌合するようにして前記弾性部材主部２５ａの開口端縁から側方に張り出す鍔部２５ｂと、前記弾性部材主部２５ａの中央部から後方に突出する連結筒部２５ｃとを一体に有し、連結筒部２５ｃの周方向１箇所に長手方向に延びるスリット３０が形成される。
【００２１】
前記凹部２８の外方で第１ケース部材２３の後面には、後方に突出する一対の円筒状のボス部３１，３１が突設されており、第２ケース部材２４には、それらのボス部３１…を嵌合させる嵌合孔３２，３２が設けられ、前記ボス部３１…に挿通されて第１ケース部材２３に螺合されるねじ部材３３，３３の拡径頭部３３ａ，３３ａがワッシャ３４，３４を介して第２ケース部材２４の後面に当接、係合することで、第２ケース部材２４が第１ケース部材２３に固定される。その固定状態で前記弾性部材２５の外周縁部の全周すなわち前記鍔部２５ｂの全周が第１および第２ケース部材２３，２４間に挟持されることになり、第１ケース部材２３および弾性部材２５間に形成される収容室３５に前記タクトスイッチ２２が収容される。
【００２２】
前記押しボタン２１は、直線状に延びる棒状部２１ａの外端に、該棒状部２１ａから外側方に張り出す押圧操作部２１ｂが車外からの押圧操作を可能として設けられて成るものであり、前記棒状部２１ａは、その横断面外形形状が長方形となるように形成される。
【００２３】
第２ケース部材２４は、前記押しボタン２１における前記棒状部２１ａの周方向に沿う複数箇所をガイドするようにして前記棒状部２１ａの周方向に離隔して配置される複数個たとえば３個である第１〜第３のガイド部３８，３９，４０と、第１〜第３のガイド部３８〜４０で囲まれる開口部４１とを有するものであり、第１および第２ケース部材２３，２４間に挟持される弾性部材２５の中央部すなわち弾性部材主部２５ａの中央部は前記連結筒部２５ｃとともに前記開口部４１に臨んで配置される。
【００２４】
しかも前記押しボタン２１における前記棒状部２１ａの内端には、前記弾性部材２５の連結筒部２５ｃが挿入される挿入凹部４２が設けられるとともに、該挿入凹部４２の閉塞端中央部から前記弾性部材２５側に突出する連結軸部２１ｃが一体に設けられており、接着剤を介して前記連結軸部２１ｃを前記連結筒部２５ｃ内に挿入することで押しボタン２１が前記弾性部材２５に連接されることになり、前記収容室３５内に収容される前記タクトスイッチ２２は、前記押しボタン２１の押圧操作に伴って前記弾性部材２５の中央部が撓むのに応じてスイッチング態様を変化することになる。
【００２５】
また前記開口部４１の周縁で第２ケース部材２４の内面には、前記弾性部材２５に当接して該弾性部材２５の膨張を規制する規制面４３が形成されており、前記押しボタン２１を戻す側に付勢する弾発力を発揮する前記弾性部材２５の前記タクトスイッチ２２から離反する側への変位は前記規制面４３で規制される。
【００２６】
図７を併せて参照して、第１〜第３のガイド部３８〜４０のうち第１および第２のガイド部３８，３９は、横断面外径形状が長方形状である前記棒状部２１ａのうち上方の２つの角部に対応するものであり、横断面形状を略Ｌ字状としつつ前記棒状部２１ａの長手方向に沿って延びるように形成される。また残余の１つである第３のガイド部４０は、前記棒状部２１ａのうち下方の２つの角部に個別に対応して横断面形状を略Ｌ字状とした２つの角部ガイド部分４０ｂ，４０ｃと、両角部ガイド部分４０ｂ，４０ｃ間を結ぶ平板状の連結壁部分４０ｄとから成る。
【００２７】
また前記押しボタン２１において横断面外形形状を長方形とした前記棒状部２１ａの外側面の４つの角部には、第１のガイド部３８、第２のガイド部３９、第３のガイド部４０の２つの角部ガイド部分４０ｂ，４０ｃに内面に摺接するガイドリブ４４，４４…がそれぞれ突設される。しかも前記ガイドリブ４４，４４…は、前記押圧操作部２１ｂ側の端部から前記棒状部２１ａの長手方向中間部まで延びるように形成される。
【００２８】
前記押しボタン２１の前記棒状部２１ａおよび前記押圧操作部２１ｂ間には、第１〜第３のガイド部３８〜４０の先端に対応する段部２１ｄが、前記押しボタン２１の深押し操作時に第１〜第３のガイド部３８〜４０の先端に当接するようにして形成される。しかも合成樹脂から成る第２ケース部材２４に一体に形成される第１〜第３ガイド部３８〜４０の先端部には、それらのガイド部３８〜４０の前記先端部以外の部分よりも薄肉の薄肉部３８ａ，３９ａ，４０ａがそれぞれ形成される。
【００２９】
図８を併せて参照して、前記押しボタン２１における前記押圧操作部２１ｂの外周縁には、前記ブレーキランプ１６のレンズ１７に一体に形成される前記筒部１７ａに設けられて前方に臨む規制段部４６に前方から対向する鍔部２１ｅが外側方に張り出すようにして一体に形成されており、その鍔部２１ｅの周方向に間隔をあけた複数箇所には、前記規制段部４６に点接触するようにした突部４７，４７…が突設される。
【００３０】
前記突部４７，４７…は、押しボタン２１の非操作時に前記鍔部２１ｅが前記規制段部４６に全面的に当接することを回避するためのものであり、前記全面的な接触によって鍔部２１ｅおよび規制段部４６間に入り込んだ水分が凍結して押しボタン２１の押し込み操作が困難となるのを防止する効果が得られる。
【００３１】
前記押しボタン２１における前記棒状部２１ａの外側面には、第１および第２のガイド部３８，３９間に対応する位置に配置される凍結剥がしリブ５１と、第１および第３のガイド部３８，４０間ならびに第２および第３のガイド部３９，４０間に対応する位置にそれぞれ配置される凍結剥がしリブ５２，５２とが、前記押圧操作部２１ｂから前記棒状部２１ａの長手方向に沿って前方に延びるようにして突設される。
【００３２】
第１および第２のガイド部３８，３９間に対応して配置される前記凍結剥がしリブ５１は、押しボタン２１の非操作状態であって第１および第２のガイド部３８，３９間に位置するようにして比較的長く形成されることで誤組防止機能をも果たすものであり、この凍結剥がしリブ５１が第１〜第３のガイド部３８〜４０に対して一定の位置に定まるように、第１〜第３のガイド部３８〜４０の前記棒状部２１ａに対する相対位置が設定される。すなわち前記棒状部２１ａの横断面外形形状が長方形であって、第１〜第３のガイド部３８〜４０が前記棒状部２１ａの４つの角部のガイドリブ４４，４４…をガイドするように配置され、第３のガイド部４０が前記棒状部２１ａの外側面のうち前記凍結剥がしリブ５１が突設される部分とは反対側の外側面に対向する連結壁部分４０ｄを有するように形成されている。
【００３３】
したがって図７で示すように、前記凍結剥がしリブ５１が第１および第２のガイド部３８，３９間に位置するようにして押しボタン２１を第１〜第３のガイド部３８〜４０にの挿入するように押し込んで組み付けることは可能であるが、第１〜第３のガイド部３８〜４０に対する押しボタン２１の相対位置を図７の状態から１８０度変化させたときには凍結剥がしリブ５１が第３のガイド部４０の連結壁部分４０ｄに当たるので押しボタン２１を第１〜第３のガイド部３８〜４０に挿入するように押し込んで組み付けることは不能となり、さらに第１〜第３のガイド部３８〜４０に対する押しボタン２１の相対位置を図７の状態から９０度変化させたときには前記凍結剥がしリブ５１が第１および第３のガイド部３８，４０間もしくは第２および第３のガイド部３９，４０間に位置することになるが、横断面外形形状を長方形とした前記棒状部２１ａの外側面の４つの角部に第１のガイド部３８、第２のガイド部３９、第３のガイド部４０の２つの角部ガイド部分４０ｂ，４０ｃに内面に摺接するガイドリブ４４，４４…が突設されていることによって、押しボタン２１を第１〜第３のガイド部３８〜３９に挿入するように押し込んで組み付けることは不能となる。
【００３４】
前記凍結剥がしリブ５１は、上述のような誤組防止機能を果たすために押しボタン２１の非操作状態で第１および第２のガイド部３８，３９間に位置するように比較的長く形成されるのであるが、第１および第３のガイド部３８，４０間ならびに第２および第３のガイド部３９，４０間にそれぞれ配置される凍結剥がしリブ５２，５２は、押しボタン２１の非操作状態では、第１および第３のガイド部３８，４０間ならびに第２および第３のガイド部３９，４０間に位置することがないようにして比較的短く形成される。
【００３５】
押圧操作による前記押しボタン２１の移動方向に沿う前記凍結剥がしリブ５２，５２の少なくとも前端部、この実施の形態では前記凍結剥がしリブ５２…の長手方向全長には、前記移動方向に沿う前方に向かうにつれて前記棒状部２１ａからの突出量が小さくなるように傾斜した傾斜面５２ａ，５２ａが形成される。
【００３６】
ところで前記凍結剥がしリブ５１，５２，５２は、第１のガイド部３８、第２のガイド部３９および第３のガイド部４０相互間で前記棒状部２１ａの外側面に付着した水分の凍結によって、図９（ａ）で示すように生じた氷結部５３…を、押しボタン２１の押圧操作に伴う前記棒状部２１ａの移動に応じて図９（ｂ）で示すように剥がすことができる。
【００３７】
再び図３〜図６において、前記ケース２０に支持された前記タクトスイッチ２２に連なる一対の導線４８，４９が前記基板から外部に導出されており、それらの導線４８，４９が接続されるコネクタ５０は、第１ケース部材２３に一体に設けられる板状のコネクタ保持部２３ａで保持される。すなわち前記コネクタ５０には筒状の被支持部５０ａが一体に形成されており、その被支持部５０ａに前記コネクタ保持部２３ａが差し込まれることで、前記コネクタ５０が前記コネクタ保持部２３ａに保持される。
【００３８】
次にこの実施の形態の作用について説明すると、トランクリッド１１に固定されるケース２０に、車外からの押圧操作が可能な押しボタン２１の直線的な移動をガイドする第１〜第３のガイド部３８〜４０が設けられるとともに、押しボタン２１の押圧操作に応じてスイッチング態様を変化させるタクトスイッチ２２が支持されており、前記ケース２０が、前記トランクリッド１１に固定される第１ケース部材２３と、第１〜第３のガイド部３８〜４０を有するとともに第１〜第３のガイド部３８〜４０で囲まれる開口部４１を有して第１ケース部材２３に固定される第２ケース部材２４と、前記開口部４１に中央部を臨ませるようにして第１および第２ケース部材２３，２４間に周縁部全周が挟持される弾性部材２５とで構成され、前記押しボタン２１が前記弾性部材２５の中央部に連接され、第１ケース部材２３および前記弾性部材２５間に形成される収容室３５内に収容される前記タクトスイッチ２２が、前記押しボタン２１の押圧操作に伴って前記弾性部材２５の中央部が撓むのに応じてスイッチング態様を変化するようにして第１ケース部材２３に支持されるので、部品点数が増大することを避けた簡単な構造でタクトスイッチ２２を保護するシール構造を得ることができる。
【００３９】
また前記開口部４１の周縁で第２ケース部材２４の内面に、前記弾性部材２５に当接して該弾性部材２５の膨張を規制する規制面４３が形成されるので、気温上昇等で弾性部材２５が熱膨張してもその膨張が抑えられ、押しボタン２１の操作ストロークにばらつきが生じることを抑制し、操作性の向上を図ることができる。
【００４０】
また前記押しボタン２１が、第１〜第３のガイド部３８〜４０でガイドされるようにして直線状に延びる棒状部２１ａの外端に押圧操作部２１ｂが車外からの押圧操作を可能として設けられて成り、第１〜第３のガイド部３８〜４０が前記棒状部２１ａの周方向に沿う複数箇所をガイドするようにして前記棒状部２１ａの周方向に離隔して配置され、前記棒状部２１ａの外側面に、第１〜第３ガイド部３８〜４０の内面に摺接するようにして前記棒状部２１ａの長手方向に沿って長く延びる複数のガイドリブ４４，４４…が突設されるので、押しボタン２１を第１〜第３のガイド部３８〜４０内に挿入する作業が容易となり、押しボタン２１の組み付け作業が容易となる。
【００４１】
また前記ガイドリブ４４，４４…が、前記押圧操作部２１ｂ側の端部から前記棒状部２１ａの長手方向中間部まで延びるように形成されるので、押しボタン２１の第１〜第３のガイド部３８〜４０内への挿入開始時にはガイドリブ４４，４４…が第１〜第３のガイド部３８〜４０には摺接しないようにして、押しボタン２１を第１〜第３のガイド部３８〜４０に挿入することが容易となる。
【００４２】
また前記押しボタン２１の前記棒状部２１ａおよび前記押圧操作部２１ｂ間に、第１〜第３のガイド部３８〜４０の先端に対応する段部２１ｄが、前記押しボタン２１の深押し操作時に第１〜第３のガイド部３８〜４０の先端に当接するようにして形成されるので、専用の規制部を設けることを不要として部品点数の低減および構造の簡素化を図りつつ、押しボタン２１の深押しを規制することができる。
【００４３】
また合成樹脂製の第２ケース部材２４に一体に形成される第１〜第３のガイド部３８〜４０の先端部に、それらのガイド部３８〜４０の前記先端部以外の部分よりも薄肉の薄肉部３８ａ，３９ａ，４０ａが形成されるので、押しボタン２１の段部２１ｄが第１〜第３のガイド部３８〜４０の先端に当接したときに、第１〜第３のガイド部３８〜４０の先端部を撓ませることができるようにして押しボタン２１側にかかる負荷を軽減することができる。
【００４４】
また前記押しボタン２１における前記棒状部２１ａの外側面には、第１および第２のガイド部３８，３９間に対応する位置に配置される凍結剥がしリブ５１と、第１および第３のガイド部３８，４０間ならびに第２および第３のガイド部３９，４０間に対応する位置にそれぞれ配置される凍結剥がしリブ５２，５２とが、第１および第２のガイド部３８，３９間、第１および第３のガイド部３８，４０間ならびに第２および第３のガイド部３９，４０間で前記棒状部２１ａの外側面に付着した水分の凍結によって生じた氷結部５３…を、押しボタン２１の押圧操作に伴う前記棒状部２１ａの移動に応じて剥がし得るようにして突設されるので、棒状部２１ａの外面に氷結部５３が生じたとしても押しボタン２１の押圧操作に支障を来すことがない。
【００４５】
しかも押圧操作による前記押しボタン２１の移動方向に沿う前記凍結剥がしリブ５２，５２の少なくとも前端部、この実施の形態では前記凍結剥がしリブ５２…の長手方向全長には、前記移動方向に沿う前方に向かうにつれて前記棒状部２１ａからの突出量が小さくなるように傾斜した傾斜面５２ａ，５２ａが形成されるので、氷結部５３をより効果的に剥がすことが可能となる。
【００４６】
さらに前記凍結剥がしリブ５１は、誤組防止機能をも果たすものであり、その凍結防止リブ５１が第１〜第３のガイド部３８〜４０に対して一定の位置に定まるように、第１〜第３のガイド部３８〜４０の前記棒状部２１ａに対する相対位置が設定されるので、押しボタン２１の誤組みを確実に防止することができる。
【００４７】
以上、本発明の実施の形態について説明したが、本発明は上記実施の形態に限定されるものではなく、特許請求の範囲に記載された本発明を逸脱することなく種々の設計変更を行うことが可能である。
【００４８】
たとえば上記の実施の形態では、ケース２０がトランクリッド１１に支持される場合について説明したが、トランクリッド１１以外のリッドにケースが支持される場合や、リッドを開閉可能に支持する車体にケースが支持される場合にも本発明を適用可能である。
【符号の説明】
【００４９】
１１・・・トランクリッド
１３・・・押しボタンスイッチ
２０・・・ケース
２１・・・押しボタン
２１ａ・・・棒状部
２１ｂ・・・押圧操作部
２２・・・タクトスイッチ
３８，３９，４０・・・ガイド部
５１，５２・・・凍結剥がしリブ
５２ａ・・・傾斜面
５３・・・氷結部
Ｂ・・・車体
【図１】
2014049246.tif 000003
【図２】
2014049246.tif 000004
【図３】
2014049246.tif 000005
【図４】
2014049246.tif 000006
【図５】
2014049246.tif 000007
【図６】
2014049246.tif 000008
【図７】
2014049246.tif 000009
【図８】
2014049246.tif 000010
【図９】
2014049246.tif 000011
【手続補正書】
【提出日】平成25年7月18日(2013.7.18)
【手続補正１】
【補正対象書類名】明細書
【補正対象項目名】００２６
【補正方法】変更
【補正の内容】
【００２６】
図７を併せて参照して、第１〜第３のガイド部３８〜４０のうち第１および第２のガイド部３８，３９は、横断面外形形状が長方形状である前記棒状部２１ａのうち上方の２つの角部に対応するものであり、横断面形状を略Ｌ字状としつつ前記棒状部２１ａの長手方向に沿って延びるように形成される。また残余の１つである第３のガイド部４０は、前記棒状部２１ａのうち下方の２つの角部に個別に対応して横断面形状を略Ｌ字状とした２つの角部ガイド部分４０ｂ，４０ｃと、両角部ガイド部分４０ｂ，４０ｃ間を結ぶ平板状の連結壁部分４０ｄとから成る。
【手続補正２】
【補正対象書類名】明細書
【補正対象項目名】００２７
【補正方法】変更
【補正の内容】
【００２７】
また前記押しボタン２１において横断面外形形状を長方形とした前記棒状部２１ａの外側面の４つの角部には、第１のガイド部３８、第２のガイド部３９、第３のガイド部４０の２つの角部ガイド部分４０ｂ，４０ｃの内面に摺接するガイドリブ４４，４４…がそれぞれ突設される。しかも前記ガイドリブ４４，４４…は、前記押圧操作部２１ｂ側の端部から前記棒状部２１ａの長手方向中間部まで延びるように形成される。
【手続補正３】
【補正対象書類名】明細書
【補正対象項目名】００３３
【補正方法】変更
【補正の内容】
【００３３】
したがって図７で示すように、前記凍結剥がしリブ５１が第１および第２のガイド部３８，３９間に位置するようにして押しボタン２１を第１〜第３のガイド部３８〜４０に挿入するように押し込んで組み付けることは可能であるが、第１〜第３のガイド部３８〜４０に対する押しボタン２１の相対位置を図７の状態から１８０度変化させたときには凍結剥がしリブ５１が第３のガイド部４０の連結壁部分４０ｄに当たるので押しボタン２１を第１〜第３のガイド部３８〜４０に挿入するように押し込んで組み付けることは不能となり、さらに第１〜第３のガイド部３８〜４０に対する押しボタン２１の相対位置を図７の状態から９０度変化させたときには前記凍結剥がしリブ５１が第１および第３のガイド部３８，４０間もしくは第２および第３のガイド部３９，４０間に位置することになるが、横断面外形形状を長方形とした前記棒状部２１ａの外側面の４つの角部に第１のガイド部３８、第２のガイド部３９、第３のガイド部４０の２つの角部ガイド部分４０ｂ，４０ｃの内面に摺接するガイドリブ４４，４４…が突設されていることによって、押しボタン２１を第１〜第３のガイド部３８〜４０に挿入するように押し込んで組み付けることは不能となる。
【手続補正４】
【補正対象書類名】明細書
【補正対象項目名】００３７
【補正方法】変更
【補正の内容】
【００３７】
再び図３〜図６において、前記ケース２０に支持された前記タクトスイッチ２２に連なる一対の導線４８，４９が前記基板２９から外部に導出されており、それらの導線４８，４９が接続されるコネクタ５０は、第１ケース部材２３に一体に設けられる板状のコネクタ保持部２３ａで保持される。すなわち前記コネクタ５０には筒状の被支持部５０ａが一体に形成されており、その被支持部５０ａに前記コネクタ保持部２３ａが差し込まれることで、前記コネクタ５０が前記コネクタ保持部２３ａに保持される。
【手続補正５】
【補正対象書類名】明細書
【補正対象項目名】００４６
【補正方法】変更
【補正の内容】
【００４６】
さらに前記凍結剥がしリブ５１は、誤組防止機能をも果たすものであり、その凍結剥がしリブ５１が第１〜第３のガイド部３８〜４０に対して一定の位置に定まるように、第１〜第３のガイド部３８〜４０の前記棒状部２１ａに対する相対位置が設定されるので、押しボタン２１の誤組みを確実に防止することができる。